(57)【特許請求の範囲】
【請求項１】
壁面に固定され、空気調和機の係合部を係止する第１の係止手段を有する主据付板と、前記第１の係止手段に対して固定され、前記空気調和機が前記壁面より浮くのを防止する、少なくともひとつの第２の係止手段を有する補助据付板からなる空気調和機の据付装置において、前記主据付板の長手方向と前記補助据付板の長手方向とは略直角となり、且つ前記両据付板が略同一平面上になるように相互にカシメによって一体に構成され、前記主据付板と前記補助据付板との合わせ部の絞り面を主据付板側に設け、前記絞り面の幅及び高さを補助据付板の合わせ面の幅及び高さよりも大きくし、前記主据付板の長手方向が前記空気調和機の長手方向に略一致させて前記壁面に固定されることを特徴とする空気調和機の据付装置。
【請求項２】
主据付板の絞り面の両端に２段絞りをそれぞれ設けた請求項１記載の空気調和機の据付装置。
【請求項３】
補助据付板において刻印文字を施し、一方主据付板には刻印文字を皆無としたことを特徴とする請求項２記載の空気調和機の据付装置。
【請求項４】
補助据付板に、所定位置からの距離を測るための巻尺を挿入する巻き尺挿入部を、本体中心に近い端面側に設けたことを特徴とした請求項３記載の空気調和機の据付装置。
【請求項５】
補助据付板の巻尺挿入部に直尺を当てる段差を設けた請求項４記載の空気調和機の据付装置。
【発明の詳細な説明】
【０００１】
【発明の属する技術分野】
本発明は空気調和機の据付装置に係り、より詳しくは室内壁面に空気調和機を設置するための据付板の構造に関する。
【０００２】
【従来の技術】
室内機の据付板に関しては、例えば特開平７−２６０２４５号公報に開示されている。図１１、図１２に示すように、空気調和機の室内機２１を壁面２５に据付けるための据付板２２はネジ５１ａで壁面２５に対して固定され、据付板２２の上部に設けられた引掛爪５２に、室内機２１の裏面上部に設けられた係止部５３を係止して吊り下げる。また据付板２２の下面フランジ５４に、室内機２１の下端に形成した底板部５５をネジ５１ｂ等で螺着して、室内機２１の下部の壁面２５からの浮き上がりを防止する。
【０００３】
据付板２２は、室内機２１の背面部寸法Ｅとほぼ同一の大きさで構成され、さらに強度を確保するためにリブ５７が設けられ、さらに壁面２５に固定するための多数の取付孔５８が設けられている。
【０００４】
また据付板２２は従来より薄板鋼板をプレス加工して成形加工されるものであった。
【０００５】
【発明が解決しようとする課題】
しかしながら、上記従来構成の据付板２２は、形状が大きく重量も重いため、壁面２５への取付時の作業性が悪く、構成する材料も多く必要とし、さらには形状が大きいためプレス加工の金型費も高価なものであった。
【０００６】
本発明は上記課題に対して、少ない材料で、軽量で取付作業性にも優れた、金型費も軽減できる空気調和機の据付装置を提供することを目的とする。
【０００７】
【課題を解決するための手段】
上記課題を解決するために本発明の据付装置は、壁面に固定され、空気調和機の係合部を係止する第１の係止手段を有する主据付板と、前記第１の係止手段に対して固定され、前記空気調和機が前記壁面より浮くのを防止する、少なくともひとつの第２の係止手段を有する補助据付板からなる空気調和機の据付装置において、前記主据付板の長手方向と前記補助据付板の長手方向とは略直角となり、且つ前記両据付板が略同一平面上になるように相互にカシメによって一体に構成され、前記主据付板と前記補助据付板との合わせ部の絞り面を主据付板側に設け、前記絞り面の幅及び高さを補助据付板の合わせ面の幅及び高さよりも大きくし、前記主据付板の長手方向が前記空気調和機の長手方向に略一致させて前記壁面に固定したものである。
【０００８】
上記構成により、使用材料が少なくなり、軽量化されることにより、従来に比べて取扱いが容易となり設置作業性が向上する。また、使用資源の削減と併せて金型費も大幅に軽減することができるので製造コストの削減につながる。また、本体サイズの違う機種へ展開が可能となるため、余分な金型が不要となり費用の削減を図ることができる。
【０００９】
【発明の実施の形態】
請求項１に記載の発明は、壁面に固定され、空気調和機の係合部を係止する第１の係止手段を有する主据付板と、前記第１の係止手段に対して固定され、前記空気調和機が前記壁面より浮くのを防止する、少なくともひとつの第２の係止手段を有する補助据付板からなる空気調和機の据付装置において、前記主据付板の長手方向と前記補助据付板の長手方向とは略直角となり、且つ前記両据付板が略同一平面上になるように相互にカシメによって一体に構成され、前記主据付板と前記補助据付板との合わせ部の絞り面を主据付板側に設け、前記絞り面の幅及び高さを補助据付板の合わせ面の幅及び高さよりも大きくし、前記主据付板の長手方向が前記空気調和機の長手方向に略一致させて前記壁面に固定したものである。
【００１０】
このため、本体サイズの違う機種へ展開が可能となるため、余分な金型が不要となり費用の削減を図ることができる。
【００１１】
本発明の請求項２に記載の発明は、主据付板の絞り面の両端に２段絞りをそれぞれ設けたものであり、これによって、補助据付板のアザ折り部をカットすることなく他機種へ展開でき、補助据付板の強度を確保することができる。
【００１２】
本発明の請求項３に記載の発明は、各据付板上の面においてそこに形成されている穴や線、突起部などの説明及びそれを起点とした長さなどの情報を示し、設置工事の際に工事者がわかりやすいように設けた刻印文字について、主据付板には刻印文字を皆無とし、補助据付板に全ての刻印文字を施したものであり、これによって、他機種へ展開した時に主据付板の位置が変わっても補助据付板の文字刻印をそのまま活かすことができ、金型の入れ子型の費用を削減することができる。
【００１３】
本発明の請求項４に記載の発明は、補助据付板に、所定位置からの距離を測るための巻尺を挿入する巻き尺挿入部を、本体中心に近い端面側に設けたものであり、これによって、巻尺の水平案内となるケガキ線を長く引くことができ、上下方向の距離精度をさらに向上させることができる。
【００１４】
本発明の請求項５に記載の発明は、補助据付板の巻尺挿入部に直尺を当てる段差を設けたものであり、これによって、直尺の端面を当てるだけで測定が可能になるため工事作業の工数低減を図ることができる。
【００１５】
以下本発明の実施の形態について図面を参照して説明する。
【００１６】
（実施の形態１）
まず、室内機の据付状態について説明する。
【００１７】
図１に示すように、主据付板１と補助据付板２はカシメによって一体構成されており、図１０に示すように、主据付板１と補助据付板２は壁７に複数個のネジ８で固定される。
【００１８】
そして、室内機３の背面上部に設けられた係止部３ａを主据付板１の係止受け部１ａに引っ掛け、さらに室内機３の背面下部に設けられた係止爪３ｂを補助据付板２の係止穴部２ａに引っ掛けることにより、室内機固定を行うことができるものである。
【００１９】
次に、図１〜４において（図１，２では、２つの補助据付板を用いた例を示している。）主据付板１と補助据付板２の合わせ部の絞り面１ｂを主据付板１側に設け、この絞り面１ｂの大きさを補助据付板２の合わせ面よりも大きく設定したものである。
【００２０】
これにより、Ａパターン、Ｂパターンのように製品サイズ及び引っ掛け位置が違うパターンの場合にＷ寸法及びＨ寸法を任意に変化させて対応することが可能になり、本体サイズの違う機種へ展開が可能となるため、余分な金型が不要となり費用の削減を図ることができる。
【００２１】
（実施の形態２）
図３、４は、主据付板１の絞り面１ｂの両端に２段絞り１ｃをそれぞれ設けたもので、補助据付板２のアザ折り部２ｂをカットすることなく他機種へ展開でき、補助据付板２の強度を確保することができる。
【００２２】
（実施の形態３）
図１、３は、主据付板１には刻印文字９を皆無とし、補助据付板２に全ての刻印文字９を施したもので、他機種へ展開した時に主据付板１の位置が変わっても補助据付板２の文字刻印９をそのまま活かすことができ、金型の入れ子型の費用を削減することができる。
【００２３】
（実施の形態４）
図５は、補助据付板２に、所定位置からの距離を測るための巻尺５を挿入する巻き尺挿入部２ｃを、本体中心に近い端面側に設けたもので、巻尺５の水平案内となるケガキ線を長く引くことができ、上下方向の距離精度をさらに向上させることができる。
【００２４】
（実施の形態５）
図６〜８は、補助据付板２の巻尺挿入部２ｃに直尺６を当てる段差２ｄを設けたもので、直尺６の端面を当てるだけで測定が可能になるため工事作業の工数低減を図ることができる。
【００２５】
【発明の効果】
上記実施例より明らかなように、請求項１に記載の発明は、壁面に固定され、空気調和機の係合部を係止する第１の係止手段を有する主据付板と、前記第１の係止手段に対して固定され、前記空気調和機が前記壁面より浮くのを防止する、少なくともひとつの第２の係止手段を有する補助据付板からなる空気調和機の据付装置において、前記主据付板の長手方向と前記補助据付板の長手方向とは略直角となり、且つ前記両据付板が略同一平面上になるように相互にカシメによって一体に構成され、前記主据付板と前記補助据付板との合わせ部の絞り面を主据付板側に設け、前記絞り面の幅及び高さを補助据付板の合わせ面の幅及び高さよりも大きくし、前記主据付板の長手方向が前記空気調和機の長手方向に略一致させて前記壁面に固定したものである。
【００２６】
この構成によれば本体サイズの違う機種へ展開が可能となるため、余分な金型が不要となり費用の削減を図ることができるという効果を奏する。
【００２７】
請求項２に記載の発明は、主据付板の絞り面の両端に２段絞りをそれぞれ設けたものであり、この構成によれば補助据付板のアザ折り部をカットすることなく他機種へ展開でき、補助据付板の強度を確保することができるという効果を奏する。
【００２８】
請求項３に記載の発明は、主据付板には刻印文字を皆無とし、補助据付板に全ての刻印文字を施したものであり、この構成によれば他機種へ展開した時に主据付板の位置が変わっても補助据付板の文字刻印をそのまま活かすことができ、金型の入れ子型の費用を削減することができるという効果を奏する。
【００２９】
請求項４に記載の発明は、補助据付板に、所定位置からの距離を測るための巻尺を挿入する巻き尺挿入部を、本体中心に近い端面側に設けたものであり、この構成によれば巻尺の水平案内となるケガキ線を長く引くことができ、上下方向の距離精度をさらに向上させることができるという効果を奏する。
【００３０】
請求項５に記載の発明は、補助据付板の巻尺挿入部に直尺を当てる段差を設けたものであり、この構成によれば直尺の端面を当てるだけで測定が可能になるため工事作業の工数低減を図ることができるという効果を奏する。
【図面の簡単な説明】
【図１】  本発明の実施の形態における据付板のＡパターンを示す正面図
【図２】  本発明の実施の形態における据付板のＢパターンを示す正面図
【図３】  図１のＡパターンにおけるＣ部詳細正面図
【図４】  図２のＢパターンにおけるＤ部詳細正面図
【図５】  本発明の実施形態における据付板の部分正面図
【図６】  図５の要部拡大正面図
【図７】  巻尺を用いた場合の図６のＩ−Ｉ要部断面図
【図８】  図７の巻尺の代わりに直尺を用いた場合の図６のＩ−Ｉ要部断面図
【図９】  本発明の実施形態における空気調和機の全体正面図
【図１０】  同一部切欠側面図
【図１１】  従来の据付板の斜視図
【図１２】  従来の据付板に室内機を設置した状態を示す一部切欠側面図
【符号の説明】
１  主据付板
１ａ  係止受け部
１ｂ  絞り面
１ｃ  ２段絞り部
２  補助据付板
２ａ  係止穴部
２ｂ  アザ折り部
２ｃ  巻尺挿入部
２ｄ  段差
３  室内機
３ａ  係止部
３ｂ  係止爪
４  配管穴
５  巻尺
６  直尺
７  壁面
８  ネジ
９  刻印文字
【図１】
0003951609.tif 000002
【図２】
0003951609.tif 000003
【図３】
0003951609.tif 000004
【図４】
0003951609.tif 000005
【図５】
0003951609.tif 000006
【図６】
0003951609.tif 000007
【図７】
0003951609.tif 000008
【図８】
0003951609.tif 000009
【図９】
0003951609.tif 000010
【図１０】
0003951609.tif 000011
【図１１】
0003951609.tif 000012
【図１２】
0003951609.tif 000013